(57)【要約】【課題】  二重壁容器の二重壁部分の筒状の間隙に加飾フィルム片を巻回状に配設する加飾方法における、加飾フィルム片の間隙内での配設位置が定まらない、両端部の積重領域に隙間ができる等の問題を解決することを技術的課題とする。【解決手段】  加飾フィルムを台紙上に剥離可能に貼着、積層した加飾部材において、加飾フィルムは、基材フィルム層と加飾フィルム層を接着状に積層した積層フィルムで、基材フィルム層側が台紙上に貼着し、平坦にした状態で基材フィルム層の所定の一方向に張力が作用しているものとし、台紙は、加飾フィルムを積層した状態で平坦な形状を保持可能な面剛性有するものとし、加飾フィルムを所定の形状に切断した加飾フィルム片を台紙から剥離した状態で、加飾フィルム片が基材フィルム層の張力が作用する方向に沿って、基材フィルム層を内周面として筒状にカールする構成とする。【選択図】図２
2014213939.tif 000002
【特許請求の範囲】
【請求項１】
加飾フィルム(22)を台紙(25)上に剥離可能に貼着、積層した加飾部材であり、前記加飾フィルム(22)は、基材フィルム層(24)と加飾フィルム層(23)を接着状に積層した積層フィルムで、該基材フィルム層(24)側が台紙(25)上に貼着するものとし、平坦にした状態で基材フィルム層(24)の所定の一方向に張力が作用しており、前記台紙(25)は、加飾フィルム(22)を積層した状態で平坦な形状を保持可能な面剛性有するものとし、前記加飾フィルム(22)を所定の形状に切断した加飾フィルム片(22p)を台紙(25)から剥離した状態で、該加飾フィルム片(22p)が基材フィルム層(24)の張力が作用する方向に沿って、基材フィルム層(24)を内周面として筒状にカールする構成としたことを特徴とする加飾部材。
【請求項２】
加飾フィルム(22)を、基材フィルム層(24)の所定の一方向に張力を作用させた状態で、該基材フィルム層(24)に加飾フィルム層(23)をドライラミネートし、さらに台紙(25)を積層したものとした請求項１記載の加飾部材。
【請求項３】
基材フィルム層(24)にはポリエチレンテレフタレート樹脂製の２軸延伸フィルムを使用し、加飾フィルム(22)を台紙(25)に積層した平坦な状態で４０〜５０℃の温度で所定時間熱処理した請求項２記載の加飾部材。
【請求項４】
内筒部分とこの内筒部分を外装する透明性若しくは半透明性の合成樹脂製の外筒部分で二重壁を形成し、加飾フィルム片(22p)を前記二重壁部分により形成される筒状の間隙(G)の全周に亘って巻回状に配設し、前記加飾フィルム片(22p)は、基材フィルム層(24)と加飾フィルム層(23)を積層した矩形状若しくは扇状の平坦形状を有する積層フィルム片で、基材フィルム層(24)の一方向に作用する張力により、該張力の作用する方向に沿って前記基材フィルム層(24)を内周面として筒状にカールするものとし、内筒部分の外周面に沿って全周に亘って巻回し、該加飾フィルム片(22p)の両端部が積重する構成とし、該両端部の積重領域(RLa)で、両端部が隙間のない積重状態にあることを特徴とする加飾二重筒状成形品。
【請求項５】
加飾フィルム片(22p)がカールして形成される筒状体の内径を、内筒部分の外径より小さいものとした請求項４記載の加飾二重筒状成形品。
【請求項６】
加飾フィルム片(22p)は、請求項１、２または３の何れかに記載される加飾部材から剥離した加飾フィルム片(22p)を使用したものとする請求項４または５記載の加飾二重筒状成形品。
【請求項７】
中容器(1a)と、該中容器(1a)の少なくとも筒状の胴部(4)を外装する透明性若しくは半透明性の外装体(11)により二重壁を形成した加飾容器(1)とし、前記中容器(1a)の胴部(4)を内筒部分とし、外装体(11)の胴部(14)を外筒部分とした請求項４、５または６記載の加飾二重筒状成形品。
【請求項８】
有頂筒状で、側周壁を内側周壁(43s)と透明性若しくは半透明性の外側周壁(42s)の二重壁とした加飾キャップ体(41)とし、前記内側周壁(43s)を内筒部分とし、外側周壁(42s)を外筒部分とした請求項４、５または６記載の加飾二重筒状成形品。
【発明の詳細な説明】
【技術分野】
【０００１】
本発明は、台紙に加飾フィルム片を積層した加飾部材、及び内筒部分とこの内筒部分を外装する外筒部分で二重壁を形成すると共に、この二重壁部分により形成される筒状の間隙を利用して加飾フィルム片で加飾した加飾二重筒状成形品に関するものである。
【背景技術】
【０００２】
化粧料を容器に収納した容器製品では、使用する容器に今までにない加飾性を現出させて他社製品との差別化が図られるようにしている。
たとえば特許文献１には、特に高級化粧液等に使用する中容器と外装体とからなる合成樹脂製の二重壁容器に関する記載があるが、透明な外容器の周壁による光の屈折効果により、通常の一つの周壁からなる容器では得られない加飾性を付与することができる。
【先行技術文献】
【特許文献】
【０００３】
【特許文献１】特開平１０−５９３５７号公報
【発明の概要】
【発明が解決しようとする課題】
【０００４】
上記のような二重壁容器では二重壁部分により形成される筒状の間隙に加飾フィルムを配設してさらにその加飾性を多様に展開することができ、最も簡便で自由度の高い方法として、矩形状の加飾フィルム片を巻回状にして二重壁部分の隙間の全周に亘って配設する方法がある。
しかしながら、この配設方法では巻回した加飾フィルム片の元の平坦な形状に戻ろうとする弾性的な復元力により、この加飾フィルム片の間隙内での配設位置が定まらない、さらには両端部が積重する領域で隙間ができて加飾フィルムの端面が外から見え、加飾性が損なわれてしまうと云う問題がある。
特に、両端部の積重領域における隙間が極く小さなものであっても、上述したように透明な外装体の周壁による光の屈折効果があるので、拡大して現出してしまう。
また、光学的な作用効果をさらに付与するために外装体の周壁をクリスタルカット状にする場合があるが、このような場合には、さらなる屈折効果により隙間がより目立つようになる。
【０００５】
本発明は、上記した二重壁容器の二重壁部分の筒状の間隙に加飾フィルム片を巻回状に配設する加飾方法における、加飾フィルム片の間隙内での配設位置が定まらない、両端部の積重領域で隙間ができる等の問題を解決することを技術的課題とし、もって簡便に、多様に、そして高品位に加飾した二重壁容器、さらに一般的に云えば二重筒状成形品を提供することを目的とするものである。
【課題を解決するための手段】
【０００６】
本発明は加飾二重筒状成形品とこの成形品に使用する加飾フィルム片を積層した加飾部材からなるが、まず加飾部材について、次にこの加飾部材を使用する二重筒状成形品について説明する。
まず、上記技術的課題を解決する手段の内、本発明の加飾部材に係る主たる構成は、
加飾フィルムを台紙上に剥離可能に貼着、積層した加飾部材において、
加飾フィルムは、基材フィルム層と加飾フィルム層を接着状に積層した積層フィルムで、基材フィルム層側が台紙上に貼着し、平坦にした状態で基材フィルム層の所定の一方向に張力が作用しているものとし、
台紙は、加飾フィルムを積層した状態で平坦な形状を保持可能な面剛性有するものとし、
加飾フィルムを所定の形状に切断した加飾フィルム片を台紙から剥離した状態で、加飾フィルム片が基材フィルム層の張力が作用する方向に沿って、基材フィルム層を内周面として筒状にカールする構成とする、
と云うものである。
【０００７】
上記構成の加飾部材では、加飾フィルムを、一方向に張力が作用する基材フィルム層に加飾フィルム層を接着状に積層したものとすることにより、
加飾フィルムを台紙上で所定の形状に打抜き状に切断した加飾フィルム片を台紙から剥離した際には、基材フィルム層の張力が作用する方向に沿って、基材フィルム層を内周面として筒状にカールさせることができる。
そしてこのようなカール性を有する加飾フィルム片を、その張力が作用する方向をたとえば二重壁容器の中容器の円筒状の胴部の外周面の周方向に沿うように巻回することにより、この中容器の胴部の外周面に沿って全周に亘ってスムースに巻回することができ、すなわち加飾フィルム片の間隙内での配設位置を定めることができ、
さらに、加飾フィルム片の両端部の積重領域で、両端部を隙間のない積重状態とすることが可能となる。
【０００８】
台紙には紙製のもの、合成樹脂フィルム製のものを使用することができるが、弾性率の高い素材を使用すること、厚さの厚い台紙を使用することにより、その平面剛性を高くして、基材フィルム層に作用する張力にも拘わらず、加飾部材を平坦状に保持することが可能となる。
【０００９】
ここで、加飾フィルム層は有色透明フィルム、印刷により模様を描いたフィルム、金属箔膜層を積層したフィルム等、加飾目的に応じて適宜に選択して使用することができる。
また、基材フィルム層と加飾フィルム層の接着状の積層はドライラミネート法等、適宜の積層方法を採用することができる。
【００１０】
本発明の加飾部材に係る他の構成は、上記主たる構成において、加飾フィルムを、基材フィルム層の所定の一方向に張力を作用させた状態で、この基材フィルム層に加飾フィルム層をドライラミネートし、さらに台紙を積層したものとする、と云うものである。
【００１１】
上記構成は、加飾フィルムが平坦な状態で、基材フィルム層の所定の一方向に
張力が作用する状態とするための具体的な構成に係るものであり、
たとえば、ロールより長尺状の基材フィルム層の長手方向に張力を懸けながら、加飾フィルム層をドライラミネートし、さらに台紙を積層する、云うように連続的に製造が可能である。
【００１２】
本発明の加飾部材に係る他の構成は、上記構成において、基材フィルム層にはポリエチレンテレフタレート（ＰＥＴ）樹脂製の２軸延伸フィルムを使用し、加飾フィルムを台紙に積層した平坦な状態で４０〜５０℃の温度で所定時間熱処理したものとする、と云うものである。
【００１３】
上記構成によれば、ＰＥＴ樹脂製の２軸延伸フィルムでは４０〜５０℃程度の熱処理で張力が作用した状態を熱固定して、張力が緩和することを抑制することができ、剥離した加飾フィルム片のカール性を長期間保持することが可能となる。
【００１４】
次に、本発明の二重筒状成形品について説明する。
本発明の二重筒状成形品に係る主たる構成は、
内筒部分とこの内筒部分を外装する透明性若しくは半透明性の合成樹脂製の外筒部分で二重壁を形成し、
加飾フィルム片を二重壁部分に形成される間隙の全周に亘って巻回状に配設し、
加飾フィルム片は、基材フィルム層と加飾フィルム層を積層した矩形状若しくは扇状の平坦形状を有する積層フィルム片で、基材フィルム層の一方向に作用する張力により、この張力の作用する方向に沿って基材フィルム層を内周面として筒状にカールするものとし、内筒部分の外周面に沿って全周に亘って巻回し、加飾フィルム片の両端部が積重する構成とし、
この両端部の積重領域で、両端部が隙間のない積重状態にあることを特徴とする、と云うものである。
【００１５】
本発明の二重筒状成形品に係る他の構成は、上記主たる構成において、
加飾フィルム片がカールして形成される筒状体の内径を、内筒部分の外径より小さいものとする、と云うものである。
【００１６】
ここで、上記のような基材フィルム層の一方向に作用する張力によりカール性を有する加飾フィルム片は前述した本発明の加飾部材を使用することにより達成され、基材フィルム層に作用する張力を大きくすることにより、大きなカール性を発揮させることができ、
特に、加飾フィルム片がカールして形成される筒状体の内径が、内筒部分の外径より小さくなる程度のカール特性があれば内筒部分の外周面に沿って全周に亘って巻回することができると共に、加飾フィルム片の両端部の積重領域で、両端部に隙間のない積重状態にすることができ、
加飾フィルム片の間隙内での配設位置が定まらないことに起因する、また積重領域での隙間に起因する外観の毀損を防いで、透明な外筒部分の光学的な作用効果が相俟って加飾フィルム片による高品位な加飾性を発揮させることが可能となる。
【００１７】
本発明の二重筒状成形品に係る他の構成は、上記主たる構成において、
中容器と、中容器の少なくとも筒状の胴部を外装する透明性若しくは半透明性の外装体により二重壁を形成した容器とし、中容器の胴部を内筒部分とし、外装体の胴部を外筒部分とする加飾容器に係るもので、
二重壁部分の間隙に配設した加飾フィルムにより高品位な加飾性が発揮される加飾容器を提供することができる。
【００１８】
本発明の二重筒状成形品に係る他の構成は、上記主たる構成において、有頂筒状で、側周壁を内側周壁と透明性若しくは半透明性の外側周壁の二重壁としたキャップ体とし、内側周壁を内筒部分とし、外側周壁を外筒部分とするキャップ体に係るもので、二重壁部分の間隙に配設した加飾フィルムにより高品位な加飾性が発揮される加飾キャップ体を提供することができる。
【発明の効果】
【００１９】
本発明は、上記した構成となっているので、以下に示す効果を奏する。
すなわち、基材フィルム層と加飾フィルム層を接着状に積層した積層フィルムで、基材フィルム層側が台紙上に貼着し、平坦にした状態で基材フィルム層の所定の一方向に張力が作用している加飾部材から剥離した加飾フィルム片におけるカール特性を利用することにより、内筒部分の外周面に沿って全周に亘って巻回すると共に、加飾フィルム片の両端部の積重領域で、両端部間に隙間のない積重状態にすることができ、
加飾フィルム片の間隙内での配設位置が定まらないことに起因する、あるいは積重領域での隙間に起因する外観の毀損を防いで、透明な外筒部分の光学的な作用効果が相俟って加飾フィルム片による高品位な加飾性を発揮させることができる。
【図面の簡単な説明】
【００２０】
【図１】本発明の加飾部材の一例を示す平面図である。
【図２】（ａ）は図１の加飾部材のＡ−Ａ線に沿った断面図、（ｂ）は（ａ）の加飾部材から剥離した加飾フィルム片の断面図、（ｃ）は（ｂ）に示した加飾フィルム片のカール状態を示す断面図である。
【図３】本発明の加飾部材の製造方法の一例を示す概略説明図である。
【図４】本発明の加飾二重筒状成形品の一例である加飾容器を容器本体としたポンプ付き容器の部分的に縦断した側面図である。
【図５】（ａ）は図４中の加飾容器のＢ−Ｂ線に沿った平断面図、（ｂ）は加飾フィルム片のカール状態を示す概略説明図である。
【図６】本発明の加飾二重筒状成形品の一例である加飾容器の他の例の平断面図である。
【図７】加飾フィルムの両端部の積重領域における積重状態の比較例の説明図である。
【図８】本発明の加飾部材の他の例を示す平面図である。
【図９】本発明の加飾二重筒状成形品他の例であるキャップ体を示す、（ａ）は縦断面図、（ｂ）は（ａ）中のＣ−Ｃ線に沿って示す平断面図である。
【発明を実施するための形態】
【００２１】
以下、本発明の実施の形態を実施例に沿って、図面を参照しながら説明する。
図１、２は本発明の加飾部材の一例を示すものであり、図１は平面図、図２（ａ）は図１中のＡ−Ａ線に沿った断面図、図２（ｂ）は（ａ）の加飾部材２１から剥離した加飾フィルム片２２ｐの断面図、図２（ｃ）は（ｂ）に示した加飾フィルム片２２ｐのカール状態を示す断面図である。
【００２２】
この加飾部材２１は図１に示されるように全体として長尺帯状で、加飾フィルム２２と台紙２５を、剥離可能に剥離層２６を介して積層したものであり、加飾フィルム２２には打抜き状に切込み２７が形成され、この切込み２７に囲まれて、長手方向、図１中では縦方向に並列状に多数の矩形状の加飾フィルム片２２ｐが形成されている。
【００２３】
加飾フィルム２２は図２中に示されるように、ＰＥＴ樹脂２軸延伸フィルム製の基材フィルム層２４に、ドライラミネート法でウレタン系二液接着剤で接着状に着色透明性の加飾フィルム層２３を積層したもので、基材フィルム層２４の層厚は０．０１２ｍｍのものを使用し、加飾フィルム２３層の層厚は０．０３５ｍｍである。
また、台紙２５はＰＥＴ樹脂２軸延伸フィルム製で、その肉厚は０．０５ｍｍである。
ここで、加飾フィルム２２はシリコン系、あるいはアクリル系の粘着剤から成る剥離層２６を介して台紙２５に積層した状態で平坦であり、この平坦な状態で、基材フィルム層２４には図２（ａ）中、矢印で示した方向に張力が作用しているが（図１でも張力の作用する方向を矢印で示している。）、台紙２５の面剛性によりその平坦な状態が保持されている。
【００２４】
そして、図２（ｂ）に示されるように矩形状に打抜いた加飾フィルム片２２ｐを台紙２５から剥離すると、基材フィルム層２４に作用する張力の方向に沿って、図２（ｂ）中の円弧状の矢印方向にカールし、図２（Ｃ）に示されるように筒状の状態になる。
【００２５】
図３は加飾部材２１の製造方法の一例を示す概略説明図である。
この図３に示されるように、基材フィルム層２４に供給ロールＲｆ１から供給される加飾フィルム層２３をドライラミネート法によりロールＲｃ１で積層して加飾フィルム２２を形成し、さらに、供給ロールＲｆ２から供給される台紙２５を、剥離層２６（図示省略）を介してロールＲｃ２で積層して長尺シート状の加飾部材２１を形成し、最終的には打抜き装置で（図示省略）加飾フィルム２２を矩形状に打抜いて加飾フィルム片２２ｐを形成する。
【００２６】
ここで、基材フィルム層２４にはロールＲｅ１とロールＲｅ２により張力を懸け、この張力が懸かった状態で、ロールＲｃ１により加飾フィルム層２３をドライラミネート法により接着状に積層し、さらにロールＲｃ２で肉厚にして十分な面剛性を有する台紙２５を積層して加飾部材２１を成形することにより、
基材フィルム層２４に張力が作用した状態で加飾部材２１を平坦状に保持することができる。
また、基材フィルム層２４をＰＥＴ樹脂２軸延伸フィルム製とする場合、図示は省略しているが、図３に示した加飾部材２１に４０〜５０℃の温度で熱処理することにより、張力が作用した状態を熱固定して、張力が緩和することを抑制することができ、剥離した加飾フィルム片２２ｐのカール性を長期間保持することができる。
【００２７】
次に、図４、５は本発明の加飾二重筒状成形品一例である加飾容器１を容器本体としたポンプ付き注出容器を示すものであり、
図４は部分的に縦断した側面図、図５は図４中の加飾容器１のＢ−Ｂ線に沿った平断面図、（ｂ）は加飾フィルム片２２ｐのカール状態を示す概略説明図である。
なお、図５と後述する図６の平断面図では、中容器１ａの胴部４と外装体１１の胴部１４による二重壁部分に形成される円筒状の間隙Ｇにおける加飾フィルム片２２ｐの巻回状態を明確に示すため、図４に示される縦断面図に比較して中容器１ａの胴部４の肉厚と外装体１１の胴部１４の肉厚を厚くし、間隙Ｇの間隔を広げて示している。
【００２８】
このポンプ付き注出容器は、上端部にノズルヘッド３２、下端部にシリンダ３３を配設した手動押下げ式のポンプ３１を組付きキャップ３５により、容器本体となる加飾容器１の外装体１１と共に二重壁を構成する中容器１ａの口筒部２に螺合により組付け固定したものである。
【００２９】
二重壁を形成する中容器１ａと外装体１１のうち、中容器１ａは合成樹脂製で、円筒状の胴部４の上端部に肩部３を介して口筒部２を起立設したもので、円筒状の胴部４の下端は開口端となっている。そして、この胴部４内に軸心方向に沿って密摺動可能に低密度ポリエチレン等の比較的軟質な合成樹脂製の摺動底蓋６を嵌装している。
また、胴部４の下端部には底カバー９を嵌合している。
一方、外装体１１は有底筒状の透明性の合成樹脂製で、円筒状の胴部１４の下端部に底部１５を連設したものである。
【００３０】
そして、中容器１ａの胴部４と外装体１１の胴部１４による二重壁部分には円筒状に間隙Ｇが形成されており、この間隙Ｇには図１、２で説明した加飾フィルム片２２ｐが図５（ａ）に示されるように、内筒部分である中容器１ａの胴部４の外周面に沿って、全周に亘って巻回している。
また、加飾フィルム片２２ｐの両端部が積重する積重領域ＲＬａでは、両端部が隙間のない積重状態にあり、外側から、光の屈折作用が発揮される透明な外装体の胴部１４を通して見ても、隙間が拡大して見えることもないので、
加飾フィルム片２２ｐが中容器１ａの胴部４の外周面に沿って、すなわち間隙Ｇの定まった位置に巻回していることも相俟って、
着色透明性の加飾フィルム層２３を積層した加飾フィルム片２２ｐによる加飾効果が高品位に発揮される。
【００３１】
ここで、図５（ｂ）は、使用した加飾フィルム片２２ｐを台紙２５から剥離した際のカール状態を示す概略説明図であり、カールして円筒状になった加飾フィルム片２２ｐの径と中容器１ａの胴部４の外径を比較するように示したものである。
この図５（ｂ）に示されるように、中容器１ａの胴部４の外径より小さい径にカールする加飾フィルム片２２ｐを使用することにより、上記のように、内筒部分である中容器１ａの胴部４の外周面に沿って全周に亘って巻回し、さらに、加飾フィルム片２２ｐの積重領域ＲＬａで、両端部を隙間のない積重状態とすることができる。
【００３２】
ここで、上記の図５（ｂ）で示されるような加飾フィルム片２２ｐを巻回状に間隙Ｇに配設する手順についてみると、まず台紙２５から剥離した状態での大きなカール性を利用して中容器１ａの胴部４の外周面に沿って全周に亘って巻回するこができ、その後、加飾フィルム片２２ｐを巻回した状態で胴部４を外装体１１の胴部１４に嵌入することにより容易に達成することができる。
【００３３】
一方、台紙２５から剥離した状態でカール性のない平坦状の加飾フィルム片２２ｐを巻回状に間隙Ｇに配設する手順についてみると、
まず、加飾フィルム片２２ｐを丸めるように筒状にして外装体１１の胴部１４に嵌入し、その後、この外装体１１の胴部１４の内周面に沿って巻回する筒状の加飾フィルム片２２ｐ内に中容器１ａの胴部４を挿入する必要があり、
外装体１１の胴部１４と中容器１ａの胴部４の二重壁部分に形成される間隙Ｇの間隔は通常狭いので、この中容器１ａの胴部４の挿入工程は、胴部４の端面が加飾フィルム片２２ｐの端面に引っ掛かる等して難しく、生産性の低い工程となってしまう。
【００３４】
次に、図６は本発明の加飾二重筒状成形品の一例である加飾容器の他の例の平断面図で、図４、５に示される加飾容器１のバリエーションに相当し、図５（ａ）の平断面と同様に示すものである。
この例は光学的な作用効果をさらに付与するために、透明な外装体１１の胴部１４の内周面をクリスタルカット状に刻設したものであるが、このような場合、さらなる屈折効果により、加飾フィルム片２２ｐの積重領域ＲＬａにおける両端部の隙間がより目立つようになるが、図６中に示されているように加飾フィルム片２２ｐの両端部が隙間のない積重状態にあれば、加飾フィルム片２２ｐによる加飾効果が高品位に発揮される。
【００３５】
ここで、図７は加飾フィルム２２ｐの両端部の積重領域ＲＬａにおける積重状態の比較例を説明するためのものであり、図７（ａ）は図５（ａ）の比較例、図７（ｂ）は図６の比較例であり、いずれも台紙２５から剥離した状態でカール性のない、平坦状の加飾フィルム片２２ｐを丸めるようにして、巻回状に間隙Ｇに配設したものである。
図７（ａ）、（ｂ）に示されるように加飾フィルム２２ｐは中容器１ａの胴部４の外周面に沿うことなく位置し、すなわち間隙Ｇでの配設位置が定まらず、さらに、積重領域ＲＬａでは両端部間に隙間Ｇｐができ、外から見ると透明な外装体１１の胴部１４の光の屈折作用により、この隙間Ｇｐが拡大されて現出し、加飾フィルム片２２ｐによる加飾効果が損なわれてしまう。
【００３６】
次に、図８は本発明の加飾部材２１の他の例を示す平面図である。
この例は、テーパー筒状の内筒部分に巻回するためのものであり、加飾フィルム片２４の打抜き形状を扇状にしたものである。
なお、図中の縦方向の矢印線は図１の場合と同様に基材フィルム層２４に作用する張力の方向を示している。
【００３７】
次に、図９は本発明の加飾二重筒状成形品他の例である加飾キャップ体を示すもので、（ａ）は縦断面図、（ｂ）は（ａ）中のＣ−Ｃ線に沿って示す平断面図である。
この加飾キャップ体４１は透明な有頂筒状の外筒体４２と有頂筒状の内筒体４３を嵌合組付けしたもので、内筒部分である内筒体４３の内側周壁４３ｓと、外筒部分である外筒体４２の内周面をクリスタルカット状に刻設した外側周壁４２ｓで二重壁を形成し、円筒状の間隙Ｇに加飾フィルム片２２ｐを巻回状に配設したものである。
【００３８】
この例でも、加飾フィルム片２２ｐは内筒部分である内筒体４３の内側周壁４３ｓの外周面に沿って、全周に亘って巻回し、さらに、加飾フィルム片２２ｐの両端部が積重する積重領域ＲＬａでは、両端部が隙間のない積重状態にある。
【００３９】
以上、実施例に沿って本願発明の実施の形態とその作用効果について説明したが、本願発明はこれら実施例に限定されるものではない。
たとえば、加飾部材２１の各層を形成する素材はＰＥＴ樹脂製のフィルム等に限定されるものではなく、基材フィルム層２４への張力の付与のし易さ等を含めて、各層の機能を考慮して、各種の合成樹脂、合成樹脂製フィルム等の中から適宜選択して使用できるものである。
また、上記実施例では加飾フィルム層については有色透明性のものを使用したが、加飾目的に応じ、印刷で模様を描いたり、金属箔膜層を積層したフィルム等を使用することができる。
また、図３に示した加飾部材２１の製造方法の他にもさまざま製造方法を採用することができる。
【００４０】
また、加飾二重筒状成形品の実施例として、ポンプ付き注出容器の容器本体として使用する壜体状の容器とキャップ体について説明したが、この他にも筒状の二重壁構造を有する成形品とすることができる。
【産業上の利用可能性】
【００４１】
以上説明したように、本発明の加飾部材による加飾フィルム片はそのカール性を利用して、筒状体の外周面に沿って、積重領域で両端部が隙間のない積重状態で巻回できるものであり、化粧料用の二重壁容器等の分野での幅広い利用展開が期待される。
【符号の説明】
【００４２】
１  ；加飾容器
１ａ；中容器
２  ；口筒部
３  ；肩部
４  ；胴部
６  ；摺動底蓋
９  ；底カバー
１１；外装体
１４；胴部
１５；底部
２１；加飾部材
２２；加飾フィルム
２２ｐ；加飾フィルム片
２３；加飾フィルム層
２４；基材フィルム層
２５；台紙
２６；剥離層
２７；切込み
３１；ポンプ
３２；ノズルヘッド
３３；シリンダ
３５；組付きキャップ
４１；加飾キャップ体
４２；外筒体
４２ｓ；外側周壁
４３；内筒体
４３ａ；垂下筒片
４３ｓ；内側周壁
ＲＬａ；積重領域
Ｇ  ；間隙
Ｇｐ；隙間
【図１】
2014213939.tif 000003
【図２】
2014213939.tif 000004
【図３】
2014213939.tif 000005
【図４】
2014213939.tif 000006
【図５】
2014213939.tif 000007
【図６】
2014213939.tif 000008
【図７】
2014213939.tif 000009
【図８】
2014213939.tif 000010
【図９】
2014213939.tif 000011